【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
気密ケーシング（３１，５１，６１）、電解液中に浸された電極（３２、３２′，５２，６２）、該電極に接続された電気接点（３４、３４′，５４、５４′）及び有害物質の収着手段（１０，２０，３３，４５，５５，６５）を含む電解コンデンサー（３０，４０，５０，６０）において、有害物質の収着手段が、該有害物質に対して透過性であるがしかし該電解液に対して不透過性である且つ該有害物質の収着用の１種又はそれ以上のゲッター物質（１４，２２、２２′）を含有するポリマー製ハウジング（２１）で構成されている、ことを特徴とする電解コンデンサー。
【請求項２】
透過性のポリマー製ハウジングが、２枚の融着されたポリマーシート（１１、１２）で構成されている、請求項１に記載の電解コンデンサー。
【請求項３】
透過性のポリマー製ハウジングが１枚のポリマーシートで構成され、そしてこのシートが一つのラインに沿ってそれ自体上に折られて前記収着手段の一つの側面が形成され且つその他の縁（一方又は両方の縁）に沿って融着されて閉鎖空洞が形成されている、請求項１に記載の電解コンデンサー。
【請求項４】
ポリマーシートの厚さが、２と５０μｍの間で構成されている、請求項２又は３に記載の電解コンデンサー。
【請求項５】
ポリマーシートが、同じ厚さを有する、請求項２に記載の電解コンデンサー。
【請求項６】
ポリマー製ハウジング（２１）が、円筒形の形状を有する、請求項１に記載の電解コンデンサー。
【請求項７】
透過性のポリマー製ハウジングが、ポリオレフィン又はポリテトラフルオロエチレン（ＰＴＦＥ）で作られている、請求項１に記載の電解コンデンサー。
【請求項８】
有害物質が水素を含み、そしてゲッター物質が以下の、非蒸発性ゲッター合金；不飽和有機化合物；カーボンナノチューブ、又は銀堆積物を備えたゼオライト；又は酸化パラジウム又は酸化コバルト（ＩＩ，ＩＩＩ）のなかの一つ又はそれ以上の化合物；の１つ又はそれ以上を含む、請求項１に記載の電解コンデンサー。
【請求項９】
有害物質が水素を含み、そしてゲッター物質が不飽和有機化合物と更に水素添加触媒を含む、請求項１に記載の電解コンデンサー。
【請求項１０】
有害物質がＨ2Ｏを含み、そしてゲッター物質が次の化合物すなわちアルカリ土類金属酸化物、酸化ホウ素又はゼオライトのなかの一つ又はそれ以上を含む、請求項１に記載の電解コンデンサー。
【請求項１１】
有害物質がＣＯを含み、そしてゲッター物質が次の化合物すなわち酸化コバルト（ＩＩ，ＩＩＩ）、酸化銅（ＩＩ）、過マンガン酸カリウムのなかの一つ又はそれ以上を含む、請求項１に記載の電解コンデンサー。
【請求項１２】
ゲッター物質を含有するポリマー製ハウジングを１つ又はそれ以上含み、そしてこれらのポリマー製ハウジングが気密ケーシングの内壁の１つ又はそれ以上の部分に沿って配置されている、請求項１に記載の電解コンデンサー。
【請求項１３】
気密ケーシングの一部が、ゲッター物質を含有するポリマー製ハウジングを受容するのに充てられている、請求項１に記載の電解コンデンサー。
【手続補正２】
【補正対象書類名】明細書
【補正対象項目名】００３０
【補正方法】変更
【補正の内容】
【００３０】
図４及び６に示された具体的態様において、電極が透過性のポリマー製ハウジングを損傷する（その中に含有されたゲッター物質の漏出の原因となり得る）のを防止するために、透過性のポリマー製ハウジングを受容する領域と電極との間に分離格子（示されていない）を加えることが得策である。かかる格子は電気絶縁性でなければならず、何故ならそれらの電極と接触している時に電極間の短絡をもたらすことになってはならないからである。
以下に、本願発明に関連する発明の実施形態を列挙する。
実施形態１
気密ケーシング（３１，５１，６１）、電解液中に浸された電極（３２、３２′，５２，６２）、該電極に接続された電気接点（３４、３４′，５４、５４′）及び有害物質の収着手段（１０，２０，３３，４５，５５，６５）を含む電解コンデンサー（３０，４０，５０，６０）において、有害物質の収着手段が、該有害物質に対して透過性であるがしかし該電解液に対して不透過性である且つ該有害物質の収着用の１種又はそれ以上のゲッター物質（１４，２２、２２′）を含有するポリマー製ハウジング（２１）で構成されている、ことを特徴とする電解コンデンサー。
実施形態２
透過性のポリマー製ハウジングが、２枚の融着されたポリマーシート（１１、１２）で構成されている、実施形態１に記載の電解コンデンサー。
実施形態３
透過性のポリマー製ハウジングが１枚のポリマーシートで構成され、そしてこのシートが一つのラインに沿ってそれ自体上に折られて前記収着手段の一つの側面が形成され且つその他の縁（一方又は両方の縁）に沿って融着されて閉鎖空洞が形成されている、実施形態１に記載の電解コンデンサー。
実施形態４
ポリマーシートの厚さが、２と５０μｍの間で構成されている、実施形態２又は３に記載の電解コンデンサー。
実施形態５
厚さが、５と１５μｍの間で構成されている、実施形態４に記載の電解コンデンサー。
実施形態６
ポリマーシートが、同じ厚さを有する、実施形態２に記載の電解コンデンサー。
実施形態７
ゲッター物質が、６０μｍ未満の粒度を有する粉末の形態にある、実施形態１に記載の電解コンデンサー。
実施形態８
粉末が、ピルを形成するように圧縮されている、実施形態７に記載の電解コンデンサー。
実施形態９
ポリマー製ハウジング（２１）が、円筒形の形状を有する、実施形態１に記載の電解コンデンサー。
実施形態１０
透過性のポリマー製ハウジングが、ポリオレフィンで作られている、実施形態１に記載の電解コンデンサー。
実施形態１１
ポリオレフィンが、低密度ポリエチレン（ＬＤＰＥ）である、実施形態１０に記載の電解コンデンサー。
実施形態１２
透過性のポリマー製ハウジングが、ポリテトラフルオロエチレン（ＰＴＦＥ）で作られている、実施形態１に記載の電解コンデンサー。
実施形態１３
有害物質が水素を含み、そしてゲッター物質が非蒸発性ゲッター合金を含む、実施形態１に記載の電解コンデンサー。
実施形態１４
非蒸発性ゲッター合金が、ジルコニウム−バナジウム−鉄合金又はジルコニウム−コバルト−希土類合金を含む、実施形態１３に記載の電解コンデンサー。
実施形態１５
有害物質が水素を含み、そしてゲッター物質が不飽和有機化合物を含む、実施形態１に記載の電解コンデンサー。
実施形態１６
更に水素添加触媒を含む、実施形態１５に記載の電解コンデンサー。
実施形態１７
有害物質が水素を含み、そしてゲッター物質がカーボンナノチューブ、又は銀堆積物を備えたゼオライトを含む、実施形態１に記載の電解コンデンサー。
実施形態１８
有害物質が水素を含み、そしてゲッター物質が酸化パラジウム又は酸化コバルト（ＩＩ，ＩＩＩ）のなかの一つ又はそれ以上の化合物を含む、実施形態１に記載の電解コンデンサー。
実施形態１９
ゲッター物質が、Ｈ2Ｏの除去用のゲッター物質と一緒に用いられている、実施形態１８に記載の電解コンデンサー。
実施形態２０
有害物質がＨ2Ｏを含み、そしてゲッター物質が次の化合物すなわちアルカリ土類金属酸化物、酸化ホウ素又はゼオライトのなかの一つ又はそれ以上を含む、実施形態１に記載の電解コンデンサー。
実施形態２１
アルカリ土類金属酸化物が、酸化カルシウムである、実施形態２０に記載の電解コンデンサー。
実施形態２２
有害物質がＣＯ2を含み、そしてゲッター物質が次の化合物すなわち水酸化リチウム、アルカリ土類金属水酸化物又は式ＬｉＸＯy（ここで、Ｘはジルコニウム、鉄、ニッケル、チタン及びケイ素のなかから選ばれ、そしてｙは２と４の間で構成される）のリチウム塩のなかの一つ又はそれ以上を含む、実施形態１に記載の電解コンデンサー。
実施形態２３
有害物質がＣＯを含み、そしてゲッター物質が次の化合物すなわち酸化コバルト（ＩＩ，ＩＩＩ）、酸化銅（ＩＩ）、過マンガン酸カリウムのなかの一つ又はそれ以上を含む、実施形態１に記載の電解コンデンサー。
実施形態２４
ゲッター物質が、ＣＯ2の除去用のゲッター物質と一緒に用いられている、実施形態２３に記載の電解コンデンサー。
実施形態２５
ゲッター物質を含有するポリマー製ハウジングを１つ又はそれ以上含み、そしてこれらのポリマー製ハウジングが気密ケーシングの内壁の１つ又はそれ以上の部分に沿って配置されている、実施形態１に記載の電解コンデンサー。
実施形態２６
気密ケーシングの一部が、ゲッター物質を含有するポリマー製ハウジングを受容するのに充てられている、実施形態１に記載の電解コンデンサー。
実施形態２７
ゲッター物質を含有するポリマー製ハウジングを受容するための部分が、電気絶縁格子により電解コンデンサーの残余部分から分離されている、実施形態２６に記載の電解コンデンサー。